(57)【要約】【課題】  動画撮影中に静止画撮影を画角を変えたりズームアップして行う際、動画と静止画を一つの画面の中で区別して表示できる撮像装置、動画撮影時の静止画表示方法、及びプログラムの提供【解決手段】  動画撮影中（図２（ａ））に、静止画撮影シャッターを押すと、静止画撮影が行われ、プレビュー画像７１が画面一杯の動画６１上に同じ大きさで上書き表示する（図２（ｂ））。望遠側にズーム操作するとズームされた高画質の静止画７２が低画質の動画像６２に上書き表示される（図２（ｃ））。また、ワイド側にズームすると、ズームされた高画質の静止画７３が画面一杯に表示され、撮影中の動画像が低画質の画像６３として静止画７３に上書き表示される（図２（ｃ’））。また、カーソル操作により静止画撮影範囲を移動させることができる（図２（ｄ））。【選択図】  図２
2005318540.tif 000002
【特許請求の範囲】
【請求項１】
被写体を撮影してその画像データを生成し、記録する撮像装置において、
動画撮影開始指示により順次取り込まれる被写体像を動画像データに変換してワークメモリに順次記憶する動画像処理手段と、
静止画撮影指示により取り込まれる被写体像を静止画像データに変換してワークメモリに記憶する静止画像処理手段と、
動画ズームを指示する動画ズーム指示手段と、
前記動画ズーム指示手段の指示内容により、望遠側ズーム処理又はワイド側ズーム処理を行う動画ズーム処理手段と、
動画撮影中に静止画撮影指示があると、前記動画像処理手段に動画撮影中に取り込まれる被写体像を静止画像とは異なる画質の動画像データに変換させる動画像取得手段及び前記静止画像処理手段に前記静止画撮影指示により取り込まれる被写体像を動画像とは異なる画質の静止画像データに変換させてワークメモリに記憶させる静止画像取得手段と、
前記動画像取得手段により取得された動画像データと前記静止画像取得手段により取得される静止画像データを区別して表示させる表示制御手段と、
静止画ズームを指示する静止画ズーム指示手段と、
前記静止画ズーム指示手段の指示内容により、望遠側ズーム処理又はワイド側ズーム処理を行う静止画ズーム処理手段と、
を備えたことを特徴とする撮像装置。
【請求項２】
前記表示制御手段は、前記静止画ズーム指示手段による望遠側へのズーム指示があった場合には、前記動画像取得手段により取得される動画像データに前記静止画像取得手段により取得された静止画像データを上書きさせて画像表示させ、前記静止画ズーム指示手段によるワイド側へのズーム指示があった場合には、前記静止画像取得手段により取得される静止画像データに前記動画像取得手段により取得された動画像データを上書きさせて画像表示させる、ことを特徴とする請求項１記載の撮像装置。
【請求項３】
前記表示手段により表示されている静止画の撮影範囲を変更するための撮影範囲変更指示手段と、この撮影範囲変更指示手段による指示に基づいて静止画の撮影範囲を変更するように前記静止画像処理部を制御する静止画像処理制御手段と、を備えたことを特徴とする請求項１記載の撮像装置。
【請求項４】
画像データを保存記録する保存メモリを備え、動画撮影終了指示があると、前記ワークメモリに記憶された動画像データ及び静止画像データを取り出して保存メモリに記録する記憶制御手段を備えたことを特徴とする請求項１記載の撮像装置。
【請求項５】
前記記憶制御手段は、保存記録の際、静止画像データを動画像データのコマに対応付けて記録することを特徴とする請求項４記載の撮像装置。
【請求項６】
前記動画ズーム処理手段及び前記静止画ズーム処理手段は、ズームレンズを指示された方向に移動させる光学ズーム手段であることを特徴とする請求項１記載の撮像装置。
【請求項７】
前記動画ズーム処理手段及び前記静止画ズーム処理手段は、撮影指示により取り込まれる被写体像を電子的にズーム処理する電子ズーム手段であることを特徴とする請求項１記載の撮像装置。
【請求項８】
前記動画ズーム処理手段はズームレンズを指示された方向に移動させる光学ズーム手段であり、前記静止画ズーム処理手段は撮影指示により取り込まれる被写体像を電子的にズーム処理する電子ズーム手段であること、を特徴とする請求項１記載の撮像装置。
【請求項９】
前記動画像取得手段は、前記動画像処理手段に動画撮影中に取り込まれる被写体像を相対的に低画質の動画像データに変換させることにより静止画像とは異なる画質の動画像データを得る手段と、前記静止画像処理手段に前記静止画撮影指示により取り込まれる被写体像を相対的に高画質の静止画像データに変換させることにより動画像とは異なる画質の静止画像データを得る手段と、を含むことを特徴とする請求項１又は２に記載の撮像装置。
【請求項１０】
前記動画像取得手段は、前記動画像処理手段に動画撮影中に取り込まれる被写体像を半透過動画像データに変換させることにより静止画像とは異なる画質の動画像データを得る手段を含むことを特徴とする請求項１又は２に記載の撮像装置。
【請求項１１】
被写体を撮影してその画像データを生成し、記録する撮像装置における動画撮影時の静止画表示方法であって、
動画撮影開始指示により順次取り込まれる被写体像を動画像データに変換してワークメモリに順次記憶し、動画撮影中に静止画撮影指示があると、動画撮影中に取り込まれる被写体像を静止画像とは異なる画質の動画像データに変換すると共に、前記静止画撮影指示により取り込まれる被写体像を動画像とは異なる画質の静止画像データに変換してワークメモリに記憶し、前記動画像データに前記静止画像データを上書きして表示させ、
動画ズーム指示があるとその指示内容により、望遠側ズーム処理又はワイド側ズーム処理を行い、ズームの結果得た静止画像データと前記動画像データを区別して表示させる、ことを特徴とする動画撮影時の静止画表示方法。
【請求項１２】
更に、動画像上に表示されている静止画の撮影範囲の変更指示があると、静止画の撮影範囲を変更して得た静止画像データと前記動画像データを区別して表示させる、ことを特徴とする請求項１１記載の動画撮影時の静止画表示方法。
【請求項１３】
前記静止画像とは異なる画質の動画像データは相対的に低画質の動画像データであり、前記動画像とは異なる画質の静止画像データは相対的に高画質の静止画像データであることを特徴とする請求項１１記載の動画撮影時の静止画表示方法。
【請求項１４】
前記静止画像とは異なる画質の動画像データは半透過動画像データであることを特徴とする請求項１１に記載の動画撮影時の静止画表示方法。
【請求項１５】
請求項１１乃至１４のいずれか１項に記載の動画撮影時の静止画表示方法を撮像装置に実行させることを特徴とするプログラム。
【発明の詳細な説明】
【技術分野】
【０００１】
本発明は、動画撮影中に静止画撮影を行う際、動画と静止画を一つの画面の中で区別して表示する動画撮影時の静止画表示技術に関する。
【背景技術】
【０００２】
近年、動画撮影機能を備えたデジタルカメラが市販されている。このようなデジタルカメラにおいて、動画撮影中に動画撮影を停止することなく、静止画の撮影もできるカメラが提案されている。
【０００３】
下記特許文献１乃至特許文献３には、デジタルカメラにおいて動画撮影中に静止画撮影を行う方法が開示されている。特許文献１の方法は、動画撮影中に静止画の撮影操作に応じて、動画フレーム周期で動画フレームを撮像してバッファメモリに記憶する動作を行いながら、次の動画フレームを記録する間に静止画を撮像して記録する。  
つまり動画撮影処理と静止画撮影処理とを並行して行うものである。また、下記特許文献４には、デジタルカメラにおいて、動画像を撮影している途中、撮影を中断することなく、画質を変更する方法が開示されている。
【０００４】
特許文献２の方法は、動画撮影中に静止画の撮影操作があったとき、動画フレームの撮像及び記憶動作をいったん中断し、その間に静止画を撮影して記録した後、動画フレームの撮像及び記憶を再開する。  
つまり静止画撮影を割り込み処理によって行う。そして、動画撮影が終了した時点では、静止画撮影中に記録できなかった中断期間の動画フレームに対応する補間用のフレームを別途生成して記憶しておき、動画再生時には、中断期間に補間用のフレームを表示させることにより、結果として動画撮影中の静止画撮影を可能とするものである。
【０００５】
特許文献３の方法は、動画撮影と静止画撮影のできるカメラにおいて、ファインダ上に動画と静止画を重ねてワクで区別して表示するものである。
【０００６】
特許文献４の方法は、動画像を撮像する機能を備え、撮像された画像を圧縮して記録するデジタルカメラにおいて、動画像撮影中において、画像の圧縮率を変更させるための指令を入力するための入力部、および動画像撮影中において、入力部からの指令に基づいて、画像の圧縮率を変更させるものである。ビットレートは、予めビットレートが登録されたビットレートレジスタから初期値として与えられるか、録画ボタン等の押圧によって変動値として入力されるように構成され、押圧時間が長いほど動画の画質が高くなるというものである。
【０００７】
【特許文献１】特開平１１−５５６１７号公報（「００１０」及び「００１１」段落、図２参照）
【特許文献２】特開２００１−１１１９３４号公報（「００２９」〜「００３２」段落、図１、図４参照）
【特許文献３】特開２００３−２５９１６１号公報（「００１０」〜「００１７」段落、図２，図４参照）
【特許文献４】特開２０００−２７０２５１号公報（「００２０」〜「００３９」段落、図３参照）
【発明の開示】
【発明が解決しようとする課題】
【０００８】
しかしながら、特許文献１または２に記載の技術では、動画を撮影中に静止画を撮影することができるが、撮影時の構図を確認する工夫には特に言及していない。  
【０００９】
また、特許文献３に記載の技術では、撮影者が静止画と動画それぞれ撮像可能なエリア（構図）差を常時モニタリングしながら撮影できるので、高精細静止画を撮った後、標準動画撮影に切り替えた時のエリア（構図）縮小の違和感を軽減できる。−方、動画撮影を行った後、高精細静止画撮影に切り替えた時に生じるエリア（構図）拡大の違和感を軽減できるというものであるが、動画と静止画で画角を変えること、ズームアップすることは想定されていないという課題があった。  
例えば、子供の演奏会の撮影では子供の出演している演奏の全体を動画撮影しつつも、自分の子供をズームアップしてきれいな画像で撮影したい場合や、運動会のリレー競技を動画撮影している際、ある撮影チャンスで子供を異なった構図で静止画撮影したい、といった場合がある。このように、動画撮影とは異なる構図で静止画を撮影したいという課題があった。
【００１０】
また、特許文献４に記載の技術では、動画撮影中に動画の画質を変更することはできるが、動画撮影中に撮影する静止画の画質変更については想定されていない点と、ビットレートは初期値以外は手動により設定することは想定されておらず、また、動画撮影中に静止画を撮影して表示する際に自動的に画質を切り替える点についても開示されていないといった課題があった。
【００１１】
本発明は上記課題を解決するためになされたものであり、動画撮影中に静止画撮影を画角を変えたりズームアップして行う際、動画と静止画を一つの画面の中で区別して表示できる撮像装置、動画撮影時の静止画表示方法、及びプログラムの提供を目的とする。
【課題を解決するための手段】
【００１２】
上記課題を解決するために、請求項１に記載の発明では、被写体を撮影してその画像データを生成し、記録する撮像装置において、動画撮影開始指示により順次取り込まれる被写体像を動画像データに変換してワークメモリに順次記憶する動画像処理手段と、静止画撮影指示により取り込まれる被写体像を静止画像データに変換してワークメモリに記憶する静止画像処理手段と、動画ズームを指示する動画ズーム指示手段と、動画ズーム指示手段の指示内容により、望遠側ズーム処理又はワイド側ズーム処理を行う動画ズーム処理手段と、動画撮影中に静止画撮影指示があると、動画像処理手段に動画撮影中に取り込まれる被写体像を静止画像とは異なる画質の動画像データに変換させる動画像取得手段及び静止画像処理手段に前記静止画撮影指示により取り込まれる被写体像を動画像とは異なる画質の静止画像データに変換させてワークメモリに記憶させる静止画像取得手段と、動画像取得手段により取得された動画像データと静止画像取得手段により取得される静止画像データを区別して表示させる表示制御手段と、静止画ズームを指示する静止画ズーム指示手段と、静止画ズーム指示手段の指示内容により、望遠側ズーム処理又はワイド側ズーム処理を行う静止画ズーム処理手段と、を備えたことを特徴とする撮像装置を提供する。  
これにより、動画撮影中に動画とは異なる構図の静止画撮影を行うことができる。また、撮影時に、静止画の画質を動画とは異なる画質の画像として表示するので、動画像と静止画像を区別しやすくなり、表示する静止画の構図がわかりやすい。
【００１３】
また、請求項２に記載の表示制御手段は、静止画ズーム指示手段による望遠側へのズーム指示があった場合には、表示手段に、動画像取得手段により取得される動画像データに静止画像取得手段により取得された静止画像データを上書きさせて画像表示させ、静止画ズーム指示手段によるワイド側へのズーム指示があった場合には、表示手段に、静止画像取得手段により取得される静止画像データに動画像取得手段により取得された動画像データを上書きさせて画像表示させる、ことを特徴とする請求項１記載の撮像装置を提供する。  
これにより、望遠側にズームした場合には、静止画像の表示サイズが動画像より小さくなるので、例えば、画面一杯分に表示される動画像上に画面中央にズームアップされる異なる画質の静止画像を表示できることから、動画とは異なる構図の静止画を動画と区別でき、分かりやすい。  
また、ワイド側にズームした場合、つまり、動画像より静止画像のほうが大きいようにズームした場合は、例えば、動画像の表示サイズが静止画像より小さくなるので画面一杯に表示された静止画像に異なる画質の動画像を画面中央で表示できることから、動画とは異なる構図の静止画を動画と区別でき、分かりやすい。
【００１４】
また、請求項３に記載の発明では、表示手段により表示されている静止画の撮影範囲を変更するための撮影範囲変更指示手段と、この撮影範囲変更指示手段による指示に基づいて静止画の撮影範囲を変更するように静止画像処理部を制御する静止画像処理制御手段と、を備えたことを特徴とする請求項１記載の撮像装置を提供する。  
これにより、静止画像の撮影範囲を移動させることができるので、動画撮影中に動画の構図と異なる静止画像を撮影することができる。
【００１５】
また、請求項４に記載の発明では、画像データを保存記録する保存メモリを備え、動画撮影終了指示があると、ワークメモリに記憶された動画像データ及び静止画像データを取り出して保存メモリに記録する記憶制御手段を備えたことを特徴とする請求項１記載の撮像装置を提供する。  
これにより、撮影した動画と動画撮影中に撮影した静止画像を保存記録することができるので、例えば、再生時に動画と静止画を別々に再生表示することができる。
【００１６】
また、請求項５に記載の発明では、記憶制御手段は、保存記録の際、静止画像データを動画像データのコマに対応付けて記録することを特徴とする請求項４記載の撮像装置を提供する。  
これにより、撮影した動画と動画撮影中に撮影した静止画像を対応付けて保存記録することができるので、例えば、再生時に再生した動画像と静止画像を撮影時のように区別して同一画面上に表示することができる。また、再生時に動画と静止画を別々に再生表示することもできる。
【００１７】
また、請求項６に記載の発明では、動画ズーム処理手段及び静止画ズーム処理手段は、ズームレンズを指示された方向に移動させる光学ズーム手段であることを特徴とする請求項１記載の撮像装置を提供する。  
これにより、望遠側にズームレンズを移動させた場合には、静止画像の表示サイズが動画像より小さくなるので、例えば、画面一杯分に表示される動画像上に画面中央にズームアップされる異なる画質の静止画像を表示できることから、動画とは異なる構図の静止画を動画と区別でき、分かりやすい。また、ワイド側にズームレンズを移動させた場合、つまり、動画像より静止画像のほうが大きいようにズームした場合は、例えば、動画像の表示サイズが静止画像より小さくなるので画面一杯に表示された静止画像に異なる画質の動画像を画面中央で表示できることから、動画とは異なる構図の静止画を動画と区別でき、分かりやすい。
【００１８】
また、請求項７に記載の発明では、動画ズーム処理手段及び静止画ズーム処理手段は、撮影指示により取り込まれる被写体像を電子的にズーム処理する電子ズーム手段であることを特徴とする請求項１記載の撮像装置を提供する。  
これにより、光学ズームの際のようにズームレンズの移動時間を考慮しなくてもよいので、動画の連続性を保ったまま動画と静止画を撮影できる。
【００１９】
また、請求項８に記載の発明では、動画ズーム処理手段はズームレンズを指示された方向に移動させる光学ズーム手段であり、静止画ズーム処理手段は撮影指示により取り込まれる被写体像を電子的にズーム処理する電子ズーム手段であること、を特徴とする請求項１記載の撮像装置を提供する。  
これにより、動画ズームは光学ズームで明瞭な画像を得ることができ、静止画ズームの際はズームレンズの移動時間を考慮しなくてもよいので、動画の連続性を保ったまま動画と静止画を撮影できる。また、静止画は動画より高画質なので、電子ズームによる画質の低下を防止できる。
【００２０】
また、請求項９に記載の発明では、動画像取得手段は、動画像処理手段に動画撮影中に取り込まれる被写体像を相対的に低画質の動画像データに変換させることにより静止画像とは異なる画質の動画像データを得る手段と、静止画像処理手段に静止画撮影指示により取り込まれる被写体像を相対的に高画質の静止画像データに変換させることにより動画像とは異なる画質の静止画像データを得る手段と、を含むことを特徴とする請求項１又は２に記載の撮像装置を提供する。  
これにより、動画撮影時に、静止画を撮影した際に表示される静止画の画質を動画より高画質（＝高解像度）の画像として表示するので、動画像と静止画像を区別しやすくなり、動画と共に表示する静止画の構図がわかりやすい。
【００２１】
また、請求項１０に記載の発明では、動画像取得手段は、動画像処理手段に動画撮影中に取り込まれる被写体像を半透過動画像データに変換させることにより静止画像とは異なる画質の動画像データを得る手段を含むことを特徴とする請求項１又は２に記載の撮像装置を提供する。  
これにより、動画撮影時に静止画を撮影した際に表示される動画像を半透過で表示するので、動画像と静止画像を区別しやすくなり、動画と共に表示する静止画の構図がわかりやすい。
【００２２】
また、請求項１１に記載の発明では、被写体を撮影してその画像データを生成し、記録する撮像装置における動画撮影時の静止画表示方法であって、動画撮影開始指示により順次取り込まれる被写体像を動画像データに変換してワークメモリに順次記憶し、動画撮影中に静止画撮影指示があると、動画撮影中に取り込まれる被写体像を静止画像とは異なる画質の動画像データに変換すると共に、静止画撮影指示により取り込まれる被写体像を動画像とは異なる画質の静止画像データに変換してワークメモリに記憶し、動画像データに静止画像データを上書きして表示させ、動画ズーム指示があるとその指示内容により、望遠側ズーム処理又はワイド側ズーム処理を行い、ズームの結果得た静止画像データと動画像データを区別して表示させる、ことを特徴とする動画撮影時の静止画表示方法を提供する。  
これにより、動画撮影中に動画とは異なる構図の静止画撮影を行うことができる。また、撮影時に、静止画の画質を動画とは異なる画質の画像として表示するので、動画像と静止画像を区別しやすくなり、表示する静止画の構図がわかりやすい。
【００２３】
また、請求項１２に記載の発明では、更に、動画像上に表示されている静止画の撮影範囲の変更指示があると、静止画の撮影範囲を変更して得た静止画像データと動画像データを区別して表示させる、ことを特徴とする請求項１１記載の動画撮影時の静止画表示方法を提供する。  
これにより、静止画像の撮影範囲を移動させることができるので、動画撮影中に動画の構図と異なる静止画像を表示し、撮影することができる。
【００２４】
また、請求項１３に記載の発明では、静止画像とは異なる画質の動画像データは相対的に低画質の動画像データであり、動画像とは異なる画質の静止画像データは相対的に高画質の静止画像データであることを特徴とする請求項１１記載の動画撮影時の静止画表示方法を提供する。  
これにより、動画撮影時に、静止画を撮影した際に表示される静止画の画質を動画より高画質の画像として表示するので、動画像と静止画像を区別しやすくなり、動画と共に表示する静止画の構図がわかりやすい。
【００２５】
また、請求項１４に記載の発明では、静止画像とは異なる画質の動画像データは半透過動画像データであることを特徴とする請求項１１に記載の動画撮影時の静止画表示方法を提供する。  
これにより、動画撮影時に、静止画を撮影した際に動画が半透過画像として表示されるので動画像と静止画像を区別しやすくなり、動画と共に表示する静止画の構図がわかりやすい。
【００２６】
また、請求項１５に記載の発明では、請求項１１乃至１４のいずれか１項に記載の動画撮影時の静止画表示方法を撮像装置に実行させることを特徴とするプログラムを提供する。
これにより、撮像装置は、動画撮影中に静止画撮影を画角を変えたりズームアップして行う際、動画撮影中に動画構図とは異なる構図の静止画を同時に撮影し、同一画面上に区別して表示することができる。
【発明の効果】
【００２７】
本発明により、動画撮影中に静止画撮影を画角を変えたりズームアップして行う際、動画撮影中に動画構図とは異なる構図の静止画を同時に撮影し、同一画面上に区別して表示することができる。
【発明を実施するための最良の形態】
【００２８】
図１は本発明のデジタルムービーカメラの外観を示す斜視図であり、図１（ａ）は斜視図であり、図１（ｂ）は操作ボタン（キー）の配置例を示す図である。  
図１（ａ）で符号１０はデジタルムービーカメラ１００の本体部、符号１はレンズ鏡筒部、符号５はホルダ、符号１５は音声入力用のマイクロフォン、符号１１１は撮影レンズを示す。レンズ鏡筒部１は、光学ズーム機能付きの撮影レンズ群等の光学系などを収めたものであり、レンズ鏡筒部１の後端に配置された撮像素子の受光面に被写体の像を結像させるものである。
【００２９】
カメラ本体部１０の上面には操作ボタン、例えば、図１（ｂ）に示すような動画用ズームキー３１、静止画用ズームキー３２、動画・録画開始／停止ボタン３３、静止画撮影シャッターボタン３４、静止画撮影終了ボタン３５、カーソル３６、及びその他図示しない各種機能ボタン等が配設されている。なお、図示の例では、ズームキー３１、３２はワイド側ズームを指示するＷボタンと望遠側ズームを指示するＴボタンからなっている。  
また、静止画撮影終了ボタン３５を設ける代わりに、静止画撮影シャッターボタン３４を２段押し構成とし、１段目で露出等を設定し、２段目で画像をキャプチャ（記録）するようにしてもよい。
【００３０】
また、カメラ本体部１０の右側面（図１（ａ）では裏面）には図示されていないが本体部１０の前側部の辺と蝶番部材で扉状に開閉可能に接続され、且つ電気的にも接続された液晶表示画面が設けられており、本体部１０に対し閉状態では液晶表示画面を内側にして背部に密着して本体部１０と一体となり、開状態では本体部１０に対して約９０°の角度まで開くことができる。従って、撮影者は、撮影時に表示される動画や動画撮影中に撮影された静止画のプレビュー画像や動画とは異なる構図の静止画を見たり、再生時に表示される再生画像を見ることができる。  
また、本体部の背部又は底部には電源電池を収納する電池収納部や外部機器とのデータ授受のための端子部（例えば、ＵＳＢ端子部）や電池充電用端子や三脚固定用のネジ穴等（図示せず）が設けられている。
【００３１】
図２はデジタルムービーカメラ１００の撮影操作及び動画撮影中に撮影する静止画像の表示例の説明図であり、図２（ａ）は動画撮影中に表示される動画像の例、図２（ｂ）は動画撮影中に静止画撮影を行った場合に表示される静止画プレビュー画像の例、図２（ｃ）は静止画ズーム操作（望遠側ズーム）時に表示される静止画像の例、図２（ｃ’）は静止画ズーム操作（ワイド側ズーム）時に表示される静止画像の例、図２（ｄ）は移動操作によって移動した静止画像の例、図２（ｅ）は静止画ズームアップ操作によりズームアップされた静止画像の例、図２（ｆ）は移動操作によって移動した静止画像の例を示す。  
また、図２（ｃ）、（ｄ）、（ｅ）の右上に示した静止画用ズームキー３２のＷボタン又はＴボタンに付けた○印は、印が付けられたボタンが押されたことを意味し、図２（ｄ）及び図２（ｆ）の右上に示したカーソル３６に付けた丸印は、丸印が付けられた方向が選択されたことを意味する。また、符号６０は動画撮影中を示すアイコン、符号７０は静止画撮影モードを示すアイコンを意味する。以下、図１及び図２を基に動画撮影中に静止画撮影操作を行った場合の表示例について説明する。
【００３２】
撮影者があるシーン（この例では、室内で行われている子供の誕生会）で、デジタルムービーカメラ１００の動画・録画開始／停止ボタン３３を押すと動画撮影が開始され、画角内の被写体像が取り込まれ動画像６１が表示される。また、この際、動画表示を意味するアイコン６０が表示される（図２（ａ））。
【００３３】
次に、撮影者が静止画撮影シャッターボタン３４を押すと、静止画プレビュー画像（撮影中の動画と同じ構図の高画質（＝高解像度）の静止画）７１が画面一杯の動画上に同じ大きさで表示される。また、この際、静止画撮影モードを意味するアイコン７０が表示される（図２（ｂ））。
【００３４】
ここで、撮影者が静止画用ズームキー３２のＴボタンを押すとズームレンズが望遠側に移動し、撮影中の動画映像が低画質（＝低解像度）の動画像６２として画面一杯に動画表示され、ズームアップされた高画質の静止画７２が動画像６２上に表示される（図２（ｃ））。なお、撮影者が静止画用ズームキー３２のＷボタンを押すとズームレンズがワイド側に移動し、ワイド側にズームされた高画質の静止画７３が画面一杯に表示され、撮影中の動画像が低画質の画像６３として画面一杯に表示される静止画７３上に表示される（図２（ｃ’））。
【００３５】
また、上記図２（ｃ）で撮影者がカーソル３６を操作すると静止画撮影範囲を移動させることができる（図示の例は、静止画の撮影範囲を左下の子供２人に合わせるためカーソル３６を下方向に移動操作した例である）。これにより、撮影中の動画６４の構図はそのままで、静止画７４の撮影範囲を所望の構図に変更することができる（図２（ｄ））。
【００３６】
更に、撮影者が静止画用ズームキー３２のＴボタンを押して動画６４のズームアップ操作を行ってズームアップされた静止画７５を得たり（図２（ｅ））、カーソル３６を操作して静止画撮影範囲を移動させて構図の微調整を行い、静止画７６を得ることができる（図２（ｆ））。
【００３７】
上述のようにして所望の構図の静止画を表示した後、撮影者は静止画撮影終了ボタン３５を押して静止画撮影を終了させる。また、動画・録画開始／停止ボタン３３を押して動画撮影を終了させ、撮影済みの動画及び静止画をフラッシュメモリ等の保存メモリ（画像記憶部４５）に記録させる。なお、静止画撮影終了ボタン３５を押した際に、静止画をフラッシュメモリ等の保存メモリ（画像記憶部４５）に記録するように構成してもよい。
【００３８】
動画撮影中に静止画撮影するシーンとしては動画撮影で頻繁にズームを変えるような運動会や観光地に行ったときではなく、三脚で長時間動画撮影したい幼稚園のお遊戯会やバレーやピアノの発表会、図２に示したような誕生会、或いは子供のサッカーの試合が好適である。従って、基本的には動画はそのまま撮りっぱなしで、注目する構図のみズームアップして静止画撮影する場合に好適な撮影方法である。更に、このデジタルムービーカメラ１００は三脚に固定して用いることにより、安定した構図の画像を得ることができる。
【００３９】
図３は、デジタルムービーカメラ１００の概念的な機能ブロック図である。このブロック図では、図３（ａ）に示すように、便宜的に、撮像部１１、静止画像処理部１２、動画映像処理部１３、画質設定部１４、マイクロフォン（音声入力装置）１５、音声処理部１６、ストリーミング部１７、制御部２０、操作部３０、表示部４０、表示制御部４１、音声出力部４３、及び画像記憶部４５などの各機能ブロックに分けられている。
【００４０】
撮像部１１は、図３（ｂ）に示すように、光学系駆動モータ１１−１、光学ズーム機能付きの撮影レンズ群１１−２、ＣＣＤ或いはＣＭＯＳ等の撮像素子１１−３、タイミング発生器（ＴＧ）１１−４、垂直ドライバ１１−５、サンプルホールド回路（Ｓ／Ｈ）１１−６、Ａ／Ｄ変換器１１−７、及びメカニカルシャッター機構などを含む。なお、撮像素子１１−３は、タイミング発生器１１−４、垂直ドライバ１１−５、サンプルホールド回路１１−６及びＡ／Ｄ変換器１１−７などの付帯回路により、制御部２０からの制御信号に基づいてシャッター速度や露出値などを可変的に設定するとともに、前段のレンズ群１１−２を介して結像した画像を設定値に対応した電気信号に変換し、その電気信号をＡ／Ｄ変換器１１−７でデジタル信号に変換して一定の周期で静止画像処理部１２及び／又は動画映像処理部１３に出力する。
【００４１】
静止画像処理部１２は、図３（ｃ）に示すように、カラープロセス回路１２−１、画像符号化部１２−２、及びＤＭＡコントローラ１２−３等の回路からなり、カラープロセス回路１２−１で撮像部１１から入力されたデジタル信号を受けてＣＣＤ１１−３の画素に対応したベイヤーベースの形で一旦保持し、それを保管してＲＧＢデータを作成し、輝度成分（Ｙ）と色成分（Ｃｒ、Ｃｂ）の信号成分に分離し、制御部２０からの制御信号に基づいてその信号成分にホワイトバランス補正を施した後、画像符号化部１２−２（図６参照）で画像符号化処理を行って画質設定部１４により設定されたビットレート（高画質（＝高解像度）用のビットレート又は低画質（＝低解像度）用のビットレート）の画質の静止画像データとした後、ＤＭＡ（ Direct Memory Access）コントローラ１２−３によりその画像データをワークメモリ２０−４に転送し、一時的に記憶する。また、シャッター操作がされるとその時点の画像データを表示部４０に送ってプレビュー画像として静止画表示させる。
【００４２】
また、静止画像処理部１２は図示しないが保存記録の際にはワークメモリ２０−４に書き込まれている画像データを読み出して、ＪＰＥＧ圧縮処理を施して画像記憶部（保存メモリ）４５に保存記録し、再生時には画像記憶部４５に保存記録されていた圧縮画像データに伸張処理を施して画像データを再生する圧縮伸張部を備えている。
【００４３】
また、上記圧縮伸張部は複数の圧縮率に対応しており、圧縮率に対応させて記憶するモードには圧縮率の低い高解像度（一般に、高精密、ファイン、ノーマルなどと呼ばれる）に対応するモードと圧縮率の高い低解像度（一般にエコノミーなどと呼ばれる）に対応するモードがある。また、高画素数から低画素数にも対応している。例えば、ＳＸＧＡ、ＸＧＡ、ＳＶＧＡ、ＶＧＡ等と呼ばれる画像サイズがある。
【００４４】
動画映像処理部１３は、図３（ｄ）に示すように、カラープロセス回路１３−１、画像符号化部１３−２、及びＤＭＡコントローラ１３−３等の回路からなり、カラープロセス回路１３−１で撮像部１１から入力されたデジタル信号を輝度成分（Ｙ）と色成分（Ｃｒ、Ｃｂ）の信号成分に分離し、制御部２０からの制御信号に基づいてホワイトバランス補正を施した後、画像符号化部１３−２（図６参照）で画像符号化処理を行って画質設定部１４により設定されたビットレート（高画質（＝高解像度）用のビットレート又は低画質（＝低解像度）用のビットレート）の画質の動画像データとした後、ＤＭＡコントローラ１３−３によりその動画像データをストリーミング部１７に出力する。また、動画映像処理部１３は図示しないが保存記録の際にはワークメモリ２０−４に書き込まれている画像データを読み出して、動画圧縮処理を施して画像記憶部４５に保存記録し、再生時には画像記憶部４５に保存記録されていた圧縮画像データに伸張処理を施して画像データを再生する圧縮伸張部を備えている。
【００４５】
また、上記圧縮伸張部は複数の圧縮率に対応しており、圧縮率に対応させて記憶するモードは圧縮率の低い高解像度に対応するモードと圧縮率の高い低解像度に対応するモードがある。なお、圧縮伸縮部は静止画像処理部１２の画像符号化部１２−２および動画映像処理部１３の画像符号化部１３−２として用いることもできる。
【００４６】
画質設定部１４は、制御部２０からのビットレート設定変更指示があると、静止画像処理部１２の画像符号化部１２−２に高画質（＝高解像度）用のビットレート又は低画質（＝低解像度）用のビットレートを設定する。また、同様に、制御部２０からのビットレート設定変更指示により、動画映像処理部１３の画像符号化部１３−２に低画質用のビットレート又は高画質用のビットレートを設定する。
【００４７】
マイクロフォン（音響入力装置）１５は音声を入力して電気信号に変換して音声処理部１６に出力する。音声処理部１６は図示しないが音声ＩＣ及び音声符号化部を含みマイクロフォン１５からの電気信号（アナログ音声信号）をデジタル信号（デジタルデータ）に変換し、逐次ストリーミング部１７に出力する。
【００４８】
ストリーミング部１７は、動画映像処理部１３から送られる動画像データと音声処理部１６から送られる音声データを受信しながら同時にその動画像データを表示制御部４１に送って表示部４０で再生表示させると共に音声データを音声出力部４３に送って再生出力させる。また、ＣＰＵ２０−１の制御により動画像データをワークメモリ２０−４に一時的に記憶する。
【００４９】
静止画像処理部１２は本発明の静止画像処理手段に相当し、動画映像処理部１３及びストリーミング部１７は本発明の動画像処理手段に相当する。また、静止画像処理部１２及び画質設定部１４は本発明の静止画像取得手段に相当し、動画映像処理部１３、画質設定部１４及びストリーミング部１７は本発明の動画像取得手段に相当する。
０００
【００５０】
制御部２０は、図４にそのブロック図を示すように、ＣＰＵ（ Central Processing Unit）２０−１を備えると共に、このＣＰＵ２０−１に、バス２０−２を介して、プログラムメモリ（例えば、ＲＯＭ）２０−３、ワークメモリ（例えば、ＤＲＡＭ）２０−４、データメモリ（例えば、ＲＡＭ）２０−５、入力部２０−７及び出力部２０−８、タイマ２０−６などを接続して構成されている。  
【００５１】
ＣＰＵ２０−１はプログラムメモリ２０−３に格納された所定の制御プログラムを実行することにより、入力部２０−７からのデータの取り込み、例えば、静止画像処理部１２からの静止画像データ、ストリーミング部１７からの動画像データ及び音声データ、操作部３０からの各種キーの状態信号、画像記憶部４５からの圧縮画像データなどの取り込みや、出力部２０−８へのデータの書き出し、撮像部１１へのシャッター速度や露出設定値の制御信号、静止画像処理部１２及び／又は動画映像処理部１３へのホワイトバランス補正制御信号、表示制御部４１への表示用信号、画質設定部１４へのビットレート設定変更指示、画像記憶部４５への記録用画像データ（圧縮画像データ）等の書き出しを行う。  
また、メニュー処理を実行したときには、そのメニュー処理で選択された各種設定値をワークメモリ２０−４に不揮発的（電源をオフにしても情報を失わないこと）に書き込むなどして、デジタルムービーカメラ１００の全体動作を制御する。
【００５２】
操作部３０は、カメラ本体部１０に設けられた各種操作部ボタン、つまり、図１（ｂ）に示したような動画用ズームキー３１、静止画用ズームキー３２、動画・録画開始／停止ボタン３３、静止画撮影シャッターボタン３４、静止画撮影終了ボタン３５、カーソル３６、及びその他各種機能ボタン等の操作に対応した状態信号を制御部２０に送出する。
【００５３】
表示制御部４１は、制御部２０から出力されたスルー画像（撮影待機画像）やプレビュー画像、静止画像、動画像又は各種設定画面などの表示信号を表示部４０の表示形式に変換して当該表示部４０に出力し、表示部４０の液晶表示画面に表示させるもので、表示制御部４１及び表示部４０は一体として表示手段を構成する。音声出力部４３はスピーカー等の音声再生装置からなり、受け取った音声信号を再生して外部に出力する。
【００５４】
画像記憶部４５は保存メモリに相当し、撮影画像（キャプチャ画像ともいう）を不揮発的に記録するための記録媒体で構成されており、たとえば、フラッシュメモリ等の半導体記憶デバイスや磁気メモリデバイスなどをその記録媒体に用いることができる。なお、画像記憶部４５は、例えば、メモリカードのような取り外し可能なメモリであって、電子カメラに実装するように構成されていてもよい。
【００５５】
図５はデジタルムービーカメラ１００の動作例を示すフローチャートであり、このフローチャートはデジタルムービーカメラ１００に本願発明の動画撮影時の静止画表示機能を実現させるためのプログラムを説明するためのものである。  
以下に示す処理は基本的に制御部２２が予めプログラムメモリ２０−３に記憶されたプログラムに従って実行する例で説明するが、全ての機能をプログラムメモリに格納する必要はなく、必要に応じて、その一部若しくは全部をネットワークを介して受信して実現するようにしてもよい。以下、図１〜図４に基いて説明する。
【００５６】
図５で、撮影者がデジタルムービーカメラ１００の主電源（図示せず）をオンにした後、動画撮影を行う場合には撮影者はデジタルムービーカメラ１００の上面に設けられている動画・録画開始／停止ボタン３３を押すので、ＣＰＵ２０−１は操作部３０から送られてくる状態信号を調べ、動画・録画開始／停止ボタン３３が押された場合にはステップＳ２に進み、そうでない場合はキー操作を待つ（ステップＳ１）。
【００５７】
動画・録画開始／停止ボタン３３が押されるか、ステップＳ１１からの遷移があると、デジタルムービーカメラ１００の画角内の被写体像が撮像部１１で電気信号に変換されて取り込まれ、動画映像処理部１３で前述したような信号処理により動画像データが所定の周期でストリーミング部１７に出力される。また、音声入力がある場合はマイクロフォン１５及び音声処理部１６からの音声データがストリーミング部１７に出力される（ステップＳ２）。
【００５８】
ストリーミング部１７は動画映像処理部１３から送られる動画像データと音声処理部１６から送られる音声データを受信しながらその動画像データを制御部２０を介して表示制御部４１に送ると共に音声データを音声出力部４３に送る。また、動画像データをワークメモリ２０−４に一時的に記憶させる（ステップＳ３）。
【００５９】
表示制御部４１では受け取った動画像データを表示部４０の表示形式に変換して図２（ａ）の例に示すように表示部４０の液晶モニタ画面に表示させる。なお、図２の例では、画面の所定の位置に動画撮影中を意味するアイコン（図示の例では、アイコン６０）を表示させている。また、音声出力部４３は受け取った音声信号を再生して外部に出力する（ステップＳ４）。
【００６０】
動画のズームを行う場合には撮影者はデジタルムービーカメラ１００の上面に設けられている動画用ズームキー３１のＷボタン又はＴボタンを操作するので、ＣＰＵ２０−１は操作部３０から送られてくる状態信号を調べ、動画用ズームキー３１のＷボタン又はＴボタンが押された場合にはステップＳ６に進み、そうでない場合はステップＳ７に進む（ステップＳ５）。
【００６１】
ズームキー３１が操作された場合には、ＣＰＵ２０−１は操作されたズームボタンに応じて光学系駆動モータ１１−１の駆動制御部（図示せず）にワイド側或いは望遠側にズームレンズを移動させるための駆動信号を送出しズームレンズを移動させる（ステップＳ６）。
【００６２】
動画撮影中に静止画撮影を行う場合には、撮影者はデジタルムービーカメラ１００の上面に設けられている静止画撮影シャッターボタン３４（以下、単に「シャッターボタン３４」と記す）を押すので、ＣＰＵ２０−１は操作部３０から送られてくる状態信号を調べ、シャッターボタン３４が押された場合にはステップＳ８に進み、そうでない場合はステップＳ１６に進む（ステップＳ７）。
【００６３】
シャッターボタン３４が押された場合は、ＣＰＵ２０−１は画質設定部１４に静止画像処理部１２用のビットレート設定変更指示信号及び動画映像処理部１３用のビットレート設定変更指示信号を送って、画質設定部１４に静止画像処理部１２の画像符号化部１２−２に対し高画質（＝高解像度）用のビットレートを設定させ、動画映像処理部１３の画像符号化部１３−２に対し低画質（＝低解像度）用のビットレートを設定させる。以後、ステップＳ４で表示される動画はステップＳ１９で画質設定が初期化されるまで、画質設定部１４により設定された低画質のビットレートに基づいて画像符号化部１３−２で画像符号化処理を行った低画質の動画が表示されることとなる（ステップＳ８）。
【００６４】
次に、静止画像処理部１２は撮像部１１から入力されたデジタル信号を受けてＣＣＤ１１−３の画素に対応したベイヤーベースの形で一旦保持し、それを保管してＲＧＢデータを作成し、輝度成分（Ｙ）と色成分（Ｃｒ、Ｃｂ）の信号成分に分離し、制御部２０からの制御信号に基づいてその信号成分にホワイトバランス補正を施した後、上記ステップＳ８で画質設定部１４により設定された高画質のビットレートに基づいて画像符号化部１２−２で画像符号化処理を行って高画質の画像データとした後、ＤＭＡコントローラ１２−３によりその画像データをワークメモリ２０−４に転送して一時的に記憶させる（ステップＳ９）。
【００６５】
ＣＰＵ２０−１は、更に、その画像データを表示制御部４１に送り、図２（ｂ）に示すようなプレビュー画像７１として画面一杯に（高画質の）静止画７１を表示させる。なお、図２の例では、画面の所定の位置に静止画撮影モードを意味するアイコン（図示の例では、アイコン７０）を表示させている（ステップＳ１０）。
【００６６】
静止画のズームを行う場合には撮影者はデジタルムービーカメラ１００の上面に設けられている静止画用ズームキー３２のＴボタン又はＷボタンを操作し、静止画の撮影範囲を変更する場合にはカーソル３６を操作し、静止画を記録する場合には静止画撮影終了ボタン３５を押すので、ＣＰＵ２０−１は操作部３０から送られてくる状態信号を調べ、静止画用ズームキー３２のＴボタンが押された場合にはステップＳ１２に進み、Ｗボタンが押された場合にはステップＳ１３に進む。また、カーソル３６が操作された場合にはステップＳ１４に進み、静止画撮影終了ボタン３５が押された場合にはステップＳ１５に進み、いずれのキーも押されなかった場合はステップＳ２に戻る（ステップＳ１１）。
【００６７】
ズームボタンＴが押された場合には、ＣＰＵ２０−１は光学系駆動モータ１１−１の駆動制御部（図示せず）に望遠側にズームレンズを移動させるための駆動信号を送出しズームレンズを移動させ、ステップＳ１１に戻る。ズームレンズの望遠側への移動により静止画７２の表示サイズが動画像６２より小さくなるので、表示バッファ（図示せず）に書き込まれているストリーミング部１７からの画面一杯分の動画像データに上記ステップＳ９での静止画像処理部１２からの出力を上書きさせる。これにより、図２（ｃ）の例に示したように画面一杯に表示されている低画質の動画像６２上に高画質の静止画７２が画面中央にズームアップされて表示される（ステップＳ１２）。
【００６８】
また、ズームボタンＷが押された場合、つまり、動画像より静止画像のほうが大きいようにズームした場合は、ＣＰＵ２０−１は光学系駆動モータ１１−１の駆動制御部（図示せず）にワイド側にズームレンズを移動させるための駆動信号を送出しズームレンズを移動させ、ステップＳ１１に戻る。ズームレンズのワイド側への移動により静止画７３の表示サイズが動画像６２より大きくなるので、上記ステップＳ９で静止画像処理部１２からの出力を表示バッファ（図示せず）に画面一杯分として書き込ませ、ストリーミング部１７からの動画像データを上書きさせる。これにより、図２（ｃ’）の例に示したように画面一杯に表示された高画質の静止画７３上に低画質の動画像６３が画面中央に表示される（ステップＳ１３）。
【００６９】
カーソル３６が押された場合は、ＣＰＵ２０−１は静止画像の画角をカーソル３６の操作により指示された方向に静止画像の表示範囲の中心点を移動したかのように中心点の座標変換を行って静止画像の見かけ上の画角を変更し、静止画像処理部１２は画角変更後、撮像部１１から入力されたデジタル信号を基にＲＧＢデータを作成し、輝度成分（Ｙ）と色成分（Ｃｒ、Ｃｂ）の信号成分に分離し、ホワイトバランス補正を施した後、画像符号化部１２−２で画像符号化処理を行って画質設定部１４より設定された高画質の画像データとした後、ＤＭＡコントローラ１２−３によりその画像データをワークメモリ２０−４に転送して一時的に記憶（ステップＳ１２で得た静止画像データに上書き記憶）させると共に、その静止画像データを表示制御部４１に送り、表示バッファ（図示せず）に書込まれているストリーミング部１７からの画面一杯分の動画像データにその静止画像データを上書きさせステップＳ１１に戻る。これにより、図２（ｄ）の例に示したように移動後の静止画７４が動画像６４上に表示される。つまり、静止画像の撮影範囲を移動させ動画の構図と異なるようにできる（ステップＳ１４）。
【００７０】
静止画撮影終了ボタン３５が押された場合には、ＣＰＵ２０−１は画質設定部１４に静止画像処理部１２用のビットレート設定変更指示信号及び動画映像処理部１３用のビットレート設定変更指示信号を送り、画質設定部１４に静止画像処理部１２及び動画映像処理部１３のビューレットを元に戻すようにさせて初期設定されていた画質に戻し、更に、上記ステップＳ１４で静止画像の撮影範囲を移動させ動画の構図と異なるようにして静止画像の見かけ上の画角を変更した場合は、中心点の座標を初期値に戻し、静止画撮影モードを終了（例えば、図２のアイコン７０を消去）してステップＳ２に戻る。なお、このステップではワークメモリ２０−４に記憶されている静止画像データは消去しない（ステップＳ１５）。
【００７１】
上記ステップＳ７でシャッターボタン３４が押されなかった場合は、ＣＰＵ２０−１は操作部３０からの状態信号を調べ、更に、動画・録画開始／停止ボタン３３が押された場合にはステップＳ１７に進み、そうでない場合はステップＳ２に戻る（ステップＳ１６）。
【００７２】
動画・録画開始／停止ボタン３３が押された場合は、ワークメモリ２０−４から動画データを取り出し、動画映像信号処理部１３に送って圧縮処理を施させてから画像記憶部４５に記録させ（ステップＳ１７）、更に、ワークメモリ２０−４から静止画像データ（複数枚数分の場合あり）を取り出し、（それぞれ）静止画像信号処理部１２に送ってＪＰＥＧ圧縮処理を施させてから上記ステップＳ１７で記録された動画のコマに対応付けて画像記憶部４５に記録させ（ステップＳ１８）、更に、画質設定部１４に静止画像処理部１２用のビットレート設定変更指示信号及び動画映像処理部１３用のビットレート設定変更指示信号を送り、画質設定部１４に静止画像処理部１２及び動画映像処理部１３のビットレートを元に戻すようにさせて初期設定されていた画質に戻し、更に、上記ステップＳ１４で静止画像の見かけ上の画角を変更した場合は、中心点の座標を初期値に戻し、動画撮影動作を終了する（ステップＳ１９）。
【００７３】
上記図５のフローチャートの動作により、動画撮影中に動画とは異なる構図の静止画撮影を行うことができる。また、撮影時に、静止画の画質を動画より高画質の画像として表示するので、動画と共に表示する静止画の構図がわかりやすい。
【００７４】
なお、上記図１〜図５の説明では光学ズームを行うものとして説明したが、動画、静止画を共にデジタルズーム、つまり、電子的にズーム処理するようにしてもよい。このようにする場合には上記図５のフローチャートのステップＳ５で動画のデジタルズームを行い、ステップＳ１２でデジタルズームによる静止画の望遠側ズーム処理を行い、ステップＳ１３でデジタルズームによるワイド側ズーム処理を行うように構成すればよい。このようにするとズームの際のズームレンズの移動時間を考慮しなくてもよいので、動画の連続性を保ったまま動画と静止画を撮影できる。
【００７５】
また、動画は光学ズームによるズーム処理を行い、静止画はデジタルズームによるズーム処理を行うようにしてもよい。このようにする場合には上記図５のフローチャートのステップＳ６で光学ズームを行い、ステップＳ１２でデジタルズームにより静止画の望遠側ズーム処理を行い、ステップＳ１３でデジタルズームによりワイド側ズーム処理を行うように構成すればよい。また、このようにすれば、動画撮影は光学ズームで明瞭な画像を得ることができ、静止画ズームの際はズームレンズの移動時間を考慮しなくてもよいので、動画の連続性を保ったまま動画と静止画を撮影できる。また、静止画は動画より高画質なので、画質の低下を防止できる。
【００７６】
図６は図３（ｃ）、（ｄ）に示した画像符号化部の構成例を示すブロック図であり、画像符号化部１２−２（１３−２）は、特許文献４（特開２０００−２７０２５１号公報記載）の図３から圧縮率変更指令入力部（録画ボタン、押圧センサビットレート変換部、ビットレート値変換部）と、入力フィルタ部を除いて構成、つまり、符号量制御部１２１３−１、ＤＣＴ部１２１３−２、量子化部１２１４−３、可変長符号部１２１３−４、および動き補償部１２１３−５を備えたような構成をなす。
【００７７】
符号量制御部１２１３−１は画質設定部１４によって設定されたビットレート値に応じて量子化幅に関するパラメータを決定する。ＤＣＴ部１２１３−３は、カラープロセス回路１２−１（またはカラープロセス回路１３−１）からの画像データに対して２次元離散コサイン変換処理を行って、画像を離散的な空間周波数成分（ＤＣＴ係数）に展開する。ＤＣＴ部１２１３−３によって得られたＤＣＴ係数は量子化部１２１３−４に与えられる。量子化部１２１３−４は、ＤＣＴ係数を量子化する。２次元離散コサイン変換（ＤＣＴ）後のデータは、低周波成分に偏ることが知られており、量子化により高周波成分の有意のデータ（０以外のデータ）が少なくなり、データの圧縮が行われる。量子化部１２１３−４によって得られた量子化されたＤＣＴ係数値は、可変長符号化部１２１３−６に与えられる。可変長符号化部１２１３−６は、データの出現頻度に基づいたエントロピー符号化を行う。可変長符号化部１２１３−６によって得られた符号化データは、ＤＭＡコントローラ１２−３（またはＤＭＡコントローラ３−３）に出力される。動き補償部１２１３−５は、量子化部４によって得られた量子化されたＤＣＴ係数を量子化前のＤＣＴ係数に戻すための逆量子化を行って元の画像データを復元させる。
【００７８】
また、上記各実施例の説明では動画撮影中に静止画撮影の際、動画は低画質の画像、静止画は高画質の画像として表示するようにしたが、これに限定されない、例えば、動画映像処理部１３を半透過画像生成可能に構成し、ＣＰＵ２０−１から画質変更指示があると、画質設定部１４は動画映像処理部１３の画像符号化部１３−２（図２（ｃ））に半透過画像生成指示を送出して半透過動画像データを出力するようにして動画を半透過画像とするようにしてもよい。このようにしても動画と共に表示する静止画の構図をわかりやすくできる。なお、この場合、静止画は高画質の画像として見やすくすることが撮影者が静止画の構図を決定する上で望ましい。
【００７９】
なお、図５のフローチャートでは動画・録画開始／停止ボタン３３が再度押されて動画撮影を終了する際に、動画及び静止画を画像記憶部４５に記録させるようにした（ステップＳ１６〜Ｓ１８）が、静止画撮影終了ボタン３５を押した際（ステップＳ１４）に、静止画を画像記憶部４５に記録させるように構成してもよい。
【００８０】
また、上記実施の形態では、１つの撮像素子で動画も静止画も撮影するものを例にとって説明したが、動画用の撮像素子と静止画用の撮像素子を別々に設けてもよい。また、１つの撮像素子で動画と静止画を並列処理する方法については詳細に説明していないが、上記特許文献１ないし３に記載されている技術、若しくは本件出願人が出願した特願２００３−３５７１３２号に記載されている動画と静止画を並列処理する技術を適宜採用することができる。
【００８１】
また、上記実施の形態では静止画が高画質、動画が低画質となっているが、ビデオスルーで（動画撮影中）に静止画の構図を決めるために、動画は中央部に高画質で表示し、静止画は全体に低画質（半透過）で表示し、静止画の構図を決めてからシャッターを押すようにしてもよい。
【００８２】
以上、本発明の一実施例について説明したが本発明は上記実施例に限定されるものではなく、種々の変形実施が可能であることはいうまでもない。例えば、撮像装置という用語は、デジタルムービーカメラの他、電子スチルカメラ、カメラ付き携帯電話や撮像部を有する情報機器などにも適用し得るものである。
【図面の簡単な説明】
【００８３】
【図１】本発明のデジタルムービーカメラの外観を示す斜視図である。
【図２】デジタルムービーカメラの撮影操作及び動画撮影中に撮影する静止画像の表示例の説明図である。
【図３】デジタルムービーカメラの概念的な機能ブロック図である。
【図４】デジタルムービーカメラの制御部の構成例を示すブロック図である。
【図５】デジタルムービーカメラの動作例を示すフローチャートである。
【図６】図３（ｃ）、（ｄ）に示した画像符号化部の構成例を示すブロック図である。
【符号の説明】
【００８４】
１１  撮像部（光学ズーム手段）
１２  静止画像処理部（静止画像処理手段、静止画像取得手段、電子ズーム手段）
１３  動画映像処理部（動画像処理手段、動画像取得手段、電子ズーム手段）
１４  画質設定部（静止画像取得手段、動画像取得手、異なる画質の静止画像データを得る手段）
１５  マイクロフォン
１６  音声処理部
１７  ストリーミング部（動画像取得手段、動画像処理手段）
２０  制御部（表示制御手段）
３０  操作部
３１  動画用ズームキー（動画ズーム指示手段）
３２  静止画用ズームキー（静止画ズーム指示手段）
３３  動画・録画開始／停止ボタン
３４  静止画撮影シャッターボタン（静止画撮影指示手段）
３５  静止画撮影終了ボタン（静止画撮影終了指示手段）
３６  カーソル（撮影範囲変更指示手段）
４０  表示部（表示手段）
４１  表示制御部（表示手段）
４３  音声出力部
４５  画像記憶部（保存メモリ）
１００  デジタルムービーカメラ
【図１】
2005318540.tif 000003
【図２】
2005318540.tif 000004
【図３】
2005318540.tif 000005
【図４】
2005318540.tif 000006
【図５】
2005318540.tif 000007
【図６】
2005318540.tif 000008